(57)【要約】【課題】  ワイパー装置に備えられる液体噴射装置において、単一の液体噴射装置で広範囲に液体の供給が可能であり、洗浄性能が向上するとともに、噴射される液体の少量化を図り得る液体噴射装置を提供する。【解決手段】  液体噴射装置１０は、噴射用液体の供給管路１４と、供給管路１４の端部に設けられた絞り部１６と、絞り部１６に正対して設けられた拡散面１９と、絞り部１６と拡散面１９との間に設けられた噴出口１７とを備える。噴出口１７は前端部１７Ａから後端部１８Ｂにわたる略１８０度の範囲に開口しており、絞り部１６から供給された噴射用液体は、拡散面１９に衝突することにより拡散して、噴出口１７から広範囲にわたって噴射される。【選択図】      図３
2019116204.tif 000002
【特許請求の範囲】
【請求項１】
ワイパー装置に設けられる液体噴射装置において、
噴射用液体の供給管路と、
前記供給管路の端部に面するように配置された拡散面と、
前記供給管路と前記拡散面の間に形成された噴射口と
を備えた液体噴射装置。
【請求項２】
前記噴射口は、前記ワイパー装置に備えられたワイパーブレードの長手方向の前端側と後端側の両側に向けて前記噴射用液体を噴射可能となっている請求項１に記載の液体噴射装置。
【請求項３】
前記噴射口は、前端部から後端部に至る略１８０度の範囲で開口している請求項２に記載の液体噴射装置。
【請求項４】
前記拡散面は、前記供給管路の端部の開口方向に対して直角に配置されている請求項１から請求項３のいずれか１項に記載の液体噴射装置。
【請求項５】
前記供給管路の端部は、前記供給管路の他の部分よりも細径の絞り部となっている請求項１から請求項４のいずれか１項に記載の液体噴射装置。
【発明の詳細な説明】
【技術分野】
【０００１】
本発明は、ワイパー装置に備えられる液体噴射装置に関する。
【背景技術】
【０００２】
車両等に備えられるワイパー装置においては、ワイパーブレードによる払拭性能を高めるため、洗浄用の液体（ウォッシャー液）を供給するための液体噴射装置が用いられることがある。
【先行技術文献】
【特許文献】
【０００３】
【特許文献１】特開２０１５−０２４７３０
【発明の概要】
【発明が解決しようとする課題】
【０００４】
このような従来の液体噴射装置においては、例えばウォッシャーノズルを介して、自動車のガラス面等の被払拭面に対してウォッシャー液が噴射されるようになっていた。このため、ウォッシャー液の噴射範囲は、ノズルの狭い噴射方向に限定されてしまうので、必要な範囲への噴射を行うためには、ノズルの向きを複雑に調整したり、複数のノズルを用いたりする必要があった。
【０００５】
本発明は、このような問題点に着目してなされたもので、ワイパー装置に備えられる液体噴射装置において、単一の液体噴射装置で広範囲に液体の供給が可能であり、洗浄性能が向上するとともに、噴射される液体の少量化を図り得る液体噴射装置を提供することを目的とする。
【課題を解決するための手段】
【０００６】
本発明は、ワイパー装置に設けられる液体噴射装置において、噴射用液体の供給管路と、前記供給管路の端部に面するように配置された拡散面と、前記供給管路と前記拡散面の間に形成された噴射口とを備えた。
【０００７】
前記噴射口は、前記ワイパー装置に備えられたワイパーブレードの長手方向の前端側と後端側の両側に向けて前記噴射用液体を噴射可能となっていてもよい。
【０００８】
前記噴射口は、前端部から後端部に至る略１８０度の範囲で開口していてもよい。
【０００９】
前記拡散面は、前記供給管路の端部の開口方向に対して直角に配置されていてもよい。
【００１０】
前記供給管路の端部は、前記供給管路の他の部分よりも細径の絞り部となっていてもよい。
【発明の効果】
【００１１】
本発明によれば、ワイパー装置（例えばワイパー装置１）に設けられる液体噴射装置（例えば液体噴射装置１０）において、供給管路（例えば供給管路１４）と拡散面（例えば拡散面１９）の間に噴出口（例えば噴出口１７）を設けるようにしたので、供給管路１４から供給された噴射用液体は、拡散面に衝突することにより広範囲に拡散（分散）されて噴射される。したがって、単一の液体噴射装置で、所望の広い範囲にわたる液体の噴射が可能となり、洗浄性能（ワイパー装置による払拭性能）が向上する。また、複数のノズルが必要なくなるので、液体噴射装置を簡素化することができ、コストを削減できる。また、単一の供給管路から供給された噴射用液体が分散されて噴射されることになるので、結果として噴射用液体の噴射量を少量化することができる。さらに、噴射口の開口範囲や拡散面の形状を変更することにより、噴射用液体の噴射範囲や噴射のされ方を、容易に様々に変更できる。
【００１２】
また、噴射用液体がワイパーブレード（例えばワイパーブレード３）の長手方向の前端側（例えば前端部３Ｂ側）と後端側（例えば後端部３Ｃ側）の両側に向けて噴射されるようにすれば、ワイパーブレードの払拭範囲の全域にわたって、噴射用液体を適切に供給することができる。
【００１３】
また、噴射口を前端部（例えば前端部１７Ａ）から後端部（例えば前端部１７Ｂ）に至る略１８０度の範囲で開口させれば、ワイパーブレードの長手方向の全体にわたって、適切に噴射用液体を供給できる。
【００１４】
また、拡散面を供給管路の端部の開口方向に対して直角に配置すれば、噴射用液体が噴射口の開口の各所から均等に噴射され、バランスの良い液体供給を行える。
【００１５】
また、供給管路の端部を、供給管路の他の部分よりも細径の絞り部（例えば絞り部１６）とすれば、絞り部によって絞られた加圧液体が拡散面に衝突して拡散されるので、噴射用液体の適切な拡散を行うことができる。
【図面の簡単な説明】
【００１６】
【図１】本発明の実施形態における液体噴射装置を備えたワイパー装置の全体構成を示す斜視図である。
【図２】本発明の実施形態における液体噴射装置を示す正面図である。
【図３】同じく液体噴射装置を示す断面図である。
【図４】同じく液体噴射装置を示す平面図である。
【発明を実施するための形態】
【００１７】
以下、添付図面に基づいて本発明の実施形態について説明する。
図１には、本発明の実施形態における液体噴射装置１０を備えたワイパー装置１を示す。図示されるように、ワイパー装置１は、ワイパーアーム２と、ワイパーアーム2により支持されたワイパーブレード３を備えている。
【００１８】
ワイパーアーム２は、基端（図示せず）においてワイパー装置１の駆動モータ（図示せず）に連係する長尺部材であり、先端に設けられた結合部２Ａにおいて、ワイパーブレード３を支持している。ワイパーブレード３は、自動車のガラス面等の被払拭面（図示せず）を払拭するための長尺部材であり、その長手方向の中央部付近でワイパーアーム２の結合部２Ａにより保持されている。ワイパーブレード３の下端部は、被払拭面に沿って配置される払拭部３Ａとなっている。
【００１９】
液体噴射装置１０は、被払拭面に対して液体（例えばウォッシャ―液）を噴射するための装置であり、結合部２Ａの一側面に取り付けられている。図２から図４にも示すように、液体噴射装置１０は、本体部１１と、接続部１２と、取り付け部１３とを備えている。接続部１２は、液体の供給ホース（図示せず）との接続のための部分であり、本体部１１から本体部１１から延接されている。また、取り付け部１３は、ワイパーアーム１の結合部２Aとの結合がなされる部分である。
【００２０】
接続部１２から本体部１１にかけては、液体流通のための供給管路１４が形成されている。供給管路１４の接続部１２側の端部は、開口部１５となっている一方で、本体部１１側の端部は、供給管路１４の他の部分よりも細径の絞り部１６となっている。
【００２１】
絞り部１６の開口の先には、噴射口１７と拡散壁１８が設けられている。拡散面１８は、絞り部１６の開口に正対して設けられた壁部であり、絞り部１６側の平坦な対向面が、絞り部１６の開口方向に対して略直角に延びた拡散面１９となっている。
【００２２】
噴射口１７は、絞り部１６から排出された液体を外部に噴出するための開口部であり、絞り部１６と拡散面１９の間に形成され、液体噴射装置１０の片側の側面（図４の下向きの側面）に向けて、前端部１７Aから後端部１７Bに至る略１８０度の範囲で開口している。これにより、液体噴射装置１０がワイパー装置１に装着されたとき、噴射口１７は、ワイパーブレード３の払拭部３A（被払拭面側）に開口するようになっている。
【００２３】
また、液体噴射装置１０がワイパー装置１に装着されたとき、液体噴射装置１０の拡散面１９は、ワイパーブレード３の長手方向に対して略平行に配置されるようになっている。また、絞り部１６の開口方向は、ワイパーブレード３の長手方向に対して略垂直に配置される。これにより、噴射口１７からの液体は、ワイパーブレード３の前端部３Ｂ側と後端部３Ｃ側に均等に噴射されるようになっている。
【００２４】
このような構成により、供給ホースから液体噴射装置１０に供給された液体は、供給管路１４を通って絞り部１６に至り、絞り部１６によって絞られることにより流速を高められて（加圧されて）、噴射口１７側に流出する。絞り部１６から勢いよく流出した加圧液体は、正面の拡散面１９に衝突することにより拡散され、噴射口１７の全域（端部１７Aから後端部１７Bに至る略１８０度の範囲）から噴射される。
【００２５】
したがって、図１に示すように、液体噴射装置１０からの液体の噴射範囲４は、被払拭面上において、ワイパーブレード３の前端部３Ｂ側から後端部３Ｃ側に至る広範囲にわたるものとでき、ワイパー装置１による洗浄性能が著しく向上する。また、単一の供給管路１４からの液体が、適切に分散されて噴射されるので、複数のウォッシャーノズルを用いた場合等に比較して、結果として液体噴射総量を削減することができる。
【００２６】
なお、上記実施形態においては、噴射口１７の開口範囲を約１８０度の範囲にわたるものとしたが、本発明は、このような形態に限られるものではない。噴射口１７の開口範囲は、必要に応じて任意の角度に調整可能である。これにより、液体の噴射範囲を、任意に設定することができる。また、噴射口１７の開口を、連続したものではなく、特定の方向にのみ開口させることにより、所望の特定の範囲に液体が噴射されるようにすることも可能である。さらに、拡散面１９の形状も平坦面とは限られず、様々な形状に変形可能である。これにより、液体の噴射の仕方を様々に変更することができる。
【符号の説明】
【００２７】
１  ワイパー装置
２  ワイパーアーム
３  ワイパーブレード
３Ａ  ワイパーブレードの払拭部
３Ｂ  ワイパーブレードの前端部
３Ｃ  ワイパーブレードの後端部
４  液体の噴射範囲
１０  液体噴射装置
１１  本体部
１２  接続部
１３  取り付け部
１４  供給管路
１５  供給管路の開口
１６  絞り部
１７  噴射口
１７Ａ  噴射口の前端部
１７Ｂ  噴射口の後端部
１８  拡散壁
１９  拡散面
【図１】
2019116204.tif 000003
【図２】
2019116204.tif 000004
【図３】
2019116204.tif 000005
【図４】
2019116204.tif 000006
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
ワイパー装置に設けられる液体噴射装置において、
噴射用液体の供給管路と、
前記供給管路の端部に面するように配置された拡散面と、
前記供給管路と前記拡散面の間に形成された噴射口と
を備え、
前記拡散面は、前記供給管路の端部の開口方向に対して直角に配置されており、
前記噴射口は、前端部から後端部に至る略１８０度の範囲で開口しており、
前記供給管路の端部は、前記供給管路の他の部分よりも細径の絞り部となっており、前記絞り部からの加圧液体が前記拡散面に衝突することにより拡散され、前記噴射口の略１８０度の範囲の開口の全域から噴射されるようになっている液体噴射装置。
【請求項２】
前記噴射口は、前記ワイパー装置に備えられたワイパーブレードの長手方向の前端側と後端側の両側に向けて前記噴射用液体を噴射可能となっている請求項１に記載の液体噴射装置。
【手続補正２】
【補正対象書類名】明細書
【補正対象項目名】０００６
【補正方法】変更
【補正の内容】
【０００６】
本発明は、ワイパー装置に設けられる液体噴射装置において、噴射用液体の供給管路と、前記供給管路の端部に面するように配置された拡散面と、前記供給管路と前記拡散面の間に形成された噴射口とを備え、前記拡散面は、前記供給管路の端部の開口方向に対して直角に配置されており、前記噴射口は、前端部から後端部に至る略１８０度の範囲で開口しており、前記供給管路の端部は、前記供給管路の他の部分よりも細径の絞り部となっており、前記絞り部からの加圧液体が前記拡散面に衝突することにより拡散され、前記噴射口の略１８０度の範囲の開口の全域から噴射されるようになっている。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】